(57)【要約】  楽音効果付与装置（５）は、楽曲データの楽音信号のｎ拍または１／ｎ拍（ｎは整数）の周期に同期する周期信号を発生する周期信号発生部（５２）と、周期信号発生部（５２）により発生された周期信号に同期するように、楽曲データの楽音信号の遅延を行う遅延手段（５３）を備えた複数のループ回路（ＬＰ１−ＬＰ４）と、それぞれのループ回路（ＬＰ１−ＬＰ４）の遅延手段（５３）に対して、ループ回路（ＬＰ１―ＬＰ４）を循環する信号の位相を、各ループ回路で異なる位相にシフトするシフト位相部（５２）と、を備えている。
2019130593.tif 000002
【特許請求の範囲】
【請求項１】
楽曲データの楽音信号のｎ拍または１／ｎ拍（ｎは整数）の周期に同期する周期信号を発生する周期信号発生部と、
前記周期信号発生部により発生された周期信号に同期するように、前記楽曲データの楽音信号の遅延を行う遅延手段を備えた複数のループ回路と、
それぞれのループ回路の遅延手段に対して、ループ回路を循環する信号の位相を、各ループ回路で異なる位相にシフトするシフト位相部と、
を備えていることを特徴とする楽音効果付与装置。
【請求項２】
請求項１に記載の楽音効果付与装置において、
前記楽曲データの楽音信号は、少なくとも２系統の信号からなることを特徴とする楽音効果付与装置。
【請求項３】
請求項１または請求項２に記載の楽音効果付与装置において、
前記シフト位相部は、前記ループ回路を循環する信号の１周期の整数分の１で位相を変えることを特徴とする楽音効果付与装置。
【請求項４】
請求項１から請求項３のいずれか一項に記載の楽音効果付与装置において、
それぞれのループ回路を循環する信号にＨＰＦ（High Pass Filter）処理を行うフィルタ処理部を備えていることを特徴とする楽音効果付与装置。
【請求項５】
コンピュータを請求項１から請求項４のいずれか一項に記載の楽音効果付与装置として機能させることを特徴とする楽音効果付与プログラム。
【発明の詳細な説明】
【技術分野】
【０００１】
本発明は、楽音効果付与装置および楽音効果付与プログラムに関する。
【背景技術】
【０００２】
従来、楽音信号に音響的な楽音効果を付与する装置として、遅延時間変調を用いたフランジャーや、位相量変調を用いたフェーザー等が知られている。
たとえば、特許文献１には、入力された楽曲データに基づいたピッチの楽音信号に対して、楽音信号のピッチとは無相関の信号遅延を行うとともに、その位相をシフトできるようにした楽音効果付与装置に関する技術が開示されている。
【先行技術文献】
【特許文献】
【０００３】
【特許文献１】特開２０００−２０５５６５号公報
【発明の概要】
【発明が解決しようとする課題】
【０００４】
しかしながら、前記特許文献１に記載の技術では、楽音信号とは無相関で信号遅延を行うとともに、位相をシフトさせるため、再生中の楽曲に同期して楽音効果を付与することが困難である。
したがって、楽曲再生中に楽曲のテンポと遅延ズレ、位相ズレのある楽音効果が付与されると、聴取者に違和感を持たせることがあり、特にテンポを重視するＤＪパフォーマンスには適さないという課題がある。【０００５】
本発明の目的は、聴取者に違和感を持たせることなく、楽曲データのテンポに同期させた楽音効果を付与することのできる楽音効果付与装置および楽音効果付与プログラムを提供することにある。
【課題を解決するための手段】
【０００６】
本発明の楽音効果付与装置は、楽曲データの楽音信号のｎ拍または１／ｎ拍（ｎは整数）の周期に同期する周期信号を発生する周期信号発生部と、前記周期信号発生部により発生された周期信号に同期するように、前記楽曲データの楽音信号の遅延を行う遅延手段を備えた複数のループ回路と、それぞれのループ回路の遅延手段に対して、ループ回路を循環する信号の位相を、各ループ回路で異なる位相にシフトするシフト位相部と、を備えていることを特徴とする。【０００７】
本発明の楽音効果付与プログラムは、コンピュータを前述した楽音効果付与装置として機能させることを特徴とする。
【図面の簡単な説明】
【０００８】
【図１】本発明の実施の形態に係る楽曲データ再生制御システムを示す模式図。
【図２】前記実施形態における楽音効果付与装置を操作するためのスイッチ群を示す模式図。
【図３】前記実施形態における楽音効果付与装置の構造を示す機能ブロック図。
【図４】前記実施形態におけるレベル調整部による原音、エフェクト音、フィードバック音の音量調整を示すグラフ。
【図５】前記実施形態における作用を説明するための模式図。
【発明を実施するための形態】
【０００９】
［１］全体構成
以下、本発明の実施の形態を図面に基づいて説明する。図１には、本発明の実施の形態に係る楽曲データ再生制御システム１が示されている、楽曲データ再生制御システム１は、コンピュータ２と、このコンピュータ２にＵＳＢケーブル３を介して接続されるＤＪコントローラ４とを備える。
コンピュータ２は、ＣＰＵおよびハードディスク等の記憶装置を備え、記憶装置内に記憶されたＭＰ３等の楽曲データの再生を行う。楽曲データの再生は、ＣＰＵ上で実行されるソフトウェアによって行われ、再生された楽曲データは、ＵＳＢケーブル３を介して、ＤＪコントローラ４に出力される。また、ＵＳＢケーブル３には、ＤＪコントローラ４のミキサー部４１、デッキ部４２Ｌ、４２Ｒを操作することにより生成された再生制御信号が出力され、コンピュータ２に入力される。コンピュータ２では、ＤＪコントローラ４から出力された再生制御信号に基づいて、再生中の楽曲データに種々の音響効果を付与する。
【００１０】
音響機器として例示されるＤＪコントローラ４は、中央に配置されるミキサー部４１と、ミキサー部４１の左右に配置されるデッキ部４２Ｌ、４２Ｒとを備える。なお、本発明にいう音響機器は、本実施の形態のように、音響再生制御装置だけでなく、楽曲データを再生する音響再生装置も含む概念である。
ミキサー部４１は、コンピュータ２から出力されたオーディオデータの切り替え、各チャンネルの音量調整、音響効果を付与する部分であり、第１チャンネル調整部４１１から第４チャンネル調整部４１４、およびマイク調整部４１５を備える。
ミキサー部４１の右下には、エフェクト部４１Ｅが設けられている。エフェクト部４１Ｅは、再生楽曲に対して楽音効果を付与するために、詳しくは後述するが、エフェクト選択スイッチ４１６、チャンネル選択スイッチ４１７、エフェクト量調整スイッチ４１８、エフェクト付与スイッチ４１９、およびビート変更スイッチ４２０が設けられている。
【００１１】
デッキ部４２Ｌ、４２Ｒは、操作者が操作をすることにより、コンピュータ２から出力された楽曲データに様々な効果を付与する部分であり、ジョグダイヤル４２１、テンポスライダー４２２、パフォーマンスパッド４２３、ＣＵＥボタン４２４、プレイ／ポーズボタン４２５、ループボタン４２６、デッキセレクトボタン４２７、およびロードボタン４２８を備える。
【００１２】
回転操作子として例示されるジョグダイヤル４２１は、デッキ部４２Ｌ、４２Ｒの機器本体に回転可能に設けられ、操作者がジョグダイヤル４２１の回転操作をすることにより、再生される楽曲データの早送り再生や、逆転再生を行うことができる。
ジョグダイヤル４２１の中央には、液晶表示装置から構成される表示部４３が設けられている。表示部４３には、再生中の楽曲データのＢＰＭ（Beats Per Minute）値、経過時間、進行状況、拍位置、および再生中の楽曲データの進行に合わせたＬＰレコードの３３ＲＰＭによる回転状態が表示され、操作者に楽曲データの再生進行を視認させている。
【００１３】
テンポスライダー４２２は、再生される楽曲データのテンポを調整するスイッチである。パフォーマンスパッド４２３は、再生中の楽曲データへの効果を切り替えるボタンであり、操作者がパッドを押すと、再生中の楽曲データに対して、瞬間的にループ、キュー、キーシフト、サンプラー等の効果を付与することができる。
ＣＵＥボタン４２４は、再生する楽曲の頭出しを行うボタンである。
【００１４】
プレイ／ポーズボタン４２５は、楽曲データの再生開始、再生中の楽曲データのポーズを行うボタンである。ループボタン４２６は、再生中の楽曲データのループ再生を行うボタンである。
デッキセレクトボタン４２７は、ミキサー部４１の第１チャンネル調整部４１１から第４チャンネル調整部４１４のうち、どのチャンネルで再生中の楽曲データを操作するかを選択するボタンである。本実施の形態では、左側のデッキ部４２Ｌで第１チャンネル調整部４１１と第３チャンネル調整部４１３との切り替えを行い、右側のデッキ部４２Ｒで第２チャンネル調整部４１２と第４チャンネル調整部４１４との切り替えを行うことができる。
【００１５】
ロードボタン４２８は、コンピュータ２から楽曲データをロードするボタンであり、コンピュータ２上で再生する楽曲データが選択された後、このロードボタン４２８を押すと、楽曲データが第１チャンネル調整部４１１から第４チャンネル調整部４１４のいずれかのチャンネルにロードされる。
【００１６】
［２］エフェクト部４１Ｅの詳細構成
ＤＪコントローラ４は、楽曲データを構成する楽音信号にエフェクトを付与することができるようになっており、具体的には、図２に示すように、ミキサー部４１の右下に設けられたエフェクト部４１Ｅを操作することにより、楽曲データの楽音信号にエフェクトを付与することができる。
エフェクト選択スイッチ４１６は、楽音信号に付与するエフェクトを選択するスイッチであり、エフェクトとしては、たとえば、エコー、ディレイ、リバーブ、フランジャー、フェーザー、ピッチ、ノイズ等が挙げられ、後述する楽音効果付与装置５も、エフェクト選択スイッチ４１６を操作することにより、選択できるようになっている。
【００１７】
チャンネル選択スイッチ４１７は、エフェクトを付与するチャンネルを選択するスイッチであり、エフェクト部４１Ｅの第１チャンネル調整部４１１から第４チャンネル調整部４１４、およびマイク調整部４１５にエフェクトを付与できるようになっている。
エフェクト量調整スイッチ４１８は、楽曲データの原曲に対して、楽音効果を付与する程度を調整するスイッチであり、ボリューム調整することにより、エフェクトの程度の大小を設定できる。
エフェクト付与スイッチ４１９は、楽音信号の拍位置またはＢＰＭに同期したエフェクトを付与するスイッチであり、チャンネル選択スイッチで選択されたチャンネルにエフェクト選択スイッチ４１６で選択されたエフェクトを適用する。
ビート変更スイッチ４２０は、楽音信号の拍位置、またはＢＰＭに同期したエフェクトを付与するスイッチであり、右方向の矢印ボタンを操作すると、拍の倍率が大きくなり、左方向の矢印ボタンを操作すると、拍の倍率が小さくなる。
【００１８】
［３］楽音効果付与装置５の構成
図３には、本発明の実施の形態に係る楽音効果付与装置５が示されている。楽音効果付与装置５は、短いディレイ時間を変化させて原音とミックスすることでフランジ効果を得るエフェクターである。楽音効果付与装置５は、ＤＪコントローラ４のＣＰＵ上で実行される楽音効果付与プログラムを構成する、フィルタ処理部５１、ＬＦＯ（Low Frequency Oscillator）５２、４つのループ回路ＬＰ１〜ＬＰ４、加算器５５、５６、５７、５９およびレベル調整部５８を備える。
【００１９】
フィルタ処理部５１は、分離周波数７０Ｈｚで入力される楽曲データＳＤを、高周波成分と低周波成分に分離する。楽曲データＳＤの高周波成分は、ループ回路ＬＰ１〜ＬＰ４に入力し、それぞれのループ回路ＬＰ１〜ＬＰ４にてディレイ処理が行われる。楽曲データＳＤの低周波成分は、ディレイ処理が行われることなく、直接加算器５６に出力される。
【００２０】
ＬＦＯ５２は、低周波数の波から構成される周期信号を、ループ回路ＬＰ１〜ＬＰ４に発信する。具体的には、ＬＦＯ５２は、楽曲データＳＤから拍位置情報を読み取り、楽音信号のｎ拍または１／ｎ拍（ｎは整数）の周期に同期する周期信号を、ループ回路ＬＰ１〜ＬＰ４に発信する。つまり、ＬＦＯ５２は、本発明の周期信号発生部として機能する。
【００２１】
また、ＬＦＯ５２は、ループ回路ＬＰ１〜ＬＰ４に対して、各ループ回路ＬＰ１〜ＬＰ４を循環する信号の位相を、各ループ回路ＬＰ１〜ＬＰ４で異なる位相にシフトさせる。本実施の形態では、ループ回路ＬＰ１に対しては位相差０°の周期信号を発信し、ループ回路ＬＰ２に対しては位相差１８０°の周期信号を発信し、ループ回路ＬＰ３に対しては位相差９０°の周期信号を発信し、ループ回路ＬＰ４に対しては位相差２７０°の周期信号を発信する。つまり、ＬＦＯ５２は、本発明のシフト位相部としても機能する。
【００２２】
ループ回路ＬＰ１〜ＬＰ４は、同様の回路構成を有し、遅延器５３、フィードバック回路５３Ａ、およびフェーダー５４を備え、遅延器５３の出力は、フィードバック回路５３Ａを介して、遅延器５３の入力にフィードバックされる。
遅延手段としての遅延器５３は、楽曲データＳＤの楽音信号を、遅延させるエフェクターであり、本実施の形態における遅延器５３による遅延時間は、０．１ｍｓ〜２ｍｓとなっている。
フェーダー５４は、遅延器５３から出力された信号をフェードイン、フェードアウトをするエフェクターであり、本実施の形態では、遅延時間の最小と最大の１０％付近でエフェクト音を、フェードイン処理、フェードアウト処理を行う。
ＬＦＯ５２から周期信号が入力されると、それぞれの遅延器５３は、この周期信号に同期するように楽曲データＳＤの楽音信号のディレイ処理を行う。また、それぞれのフェーダー５４は、周期信号に同期するように、ディレイ処理された信号の最初の部分でフェードイン処理、最後の部分でフェードアウト処理を行う。
【００２３】
フィルタ処理部５１でＨＰＦ（High Pass Filter）処理された信号は、ＬチャンネルとＲチャンネルの２系統に分離される。Ｌチャンネル側の楽音信号は、ループ回路ＬＰ１およびループ回路ＬＰ２に入力され、ディレイ処理が行われる。Ｒチャンネル側の楽音信号は、ループ回路ＬＰ３、ループ回路ＬＰ４に入力され、ディレイ処理が行われる。
【００２４】
Ｌチャンネル側のループ回路ＬＰ１およびループ回路ＬＰ２の出力は、加算器５５によって加算される。同様にＲチャンネル側のループ回路ＬＰ３およびループ回路ＬＰ４の出力は、加算器５５によって加算される。加算器５５および加算器５６の信号は２系統（ステレオ）で加算器５７に入力する。この時、加算器５７には、フィルタ処理部でＬＰＦ（Low Pass Filter）処理された信号が入力され、加算器５７の出力と加算される。加算器５７の出力は、レベル調整部５８に入力される。
【００２５】
レベル調整部５８は、前述したエフェクト量調整スイッチ４１８の操作位置に応じて、原音、エフェクト音、フィードバック音の音量調整を行う。本実施形態では、図４に示すように、エフェクト量調整スイッチ４１８の５０％位置で原音とエフェクト音の音量を同じにし、以後はフィードバック音の音量を大きくするエフェクト量の調整を行っている。
レベル調整部５８により調整された原音およびエフェクト音は、加算器５９によって加算され、ミキサー部４１から出力される。
【００２６】
［４］実施の形態の作用および効果
前述した楽音効果付与装置５において、ＬＦＯ５２が１拍で１周期の周期信号を与える場合、ＬＦＯ５２は、ループ回路ＬＰ１に位相差０°の周期信号を発信し、ループ回路ＬＰ２に位相差１８０°の周期信号を発信し、ループ回路ＬＰ３に位相差９０°の周期信号を発信し、ループ回路ＬＰ４に位相差２７０°の周期信号を発信する。原曲の楽音信号が、図５に示すように、１拍で１周期の鋸波状の波形である場合、それぞれのループ回路ＬＰ１〜ＬＰ４の遅延器５３では、ディレイ時間が１／４拍ずつずれたエフェクト音が出力される。
本実施の形態では、入力される楽音信号が、図５に示す鋸刃状の波形である場合、音の高さが上昇し続けるようなエフェクト音が、楽曲データＳＤのテンポに同期して、出力されることとなる。したがって、聴取者に違和感を持たせることなく、再生中の楽曲データにエフェクト音を付与することができる。
【００２７】
楽曲データＳＤ中のＬ側チャンネルの信号を、ループ回路ＬＰ１およびループ回路ＬＰ２で処理し、Ｒ側チャンネルの信号を、ループ回路ＬＰ３およびループ回路ＬＰ４で処理している。ＬＦＯ５２が、ループ回路ＬＰ１〜ＬＰ４に位相差を与えることにより、楽音効果付与装置５のエフェクト音を、左右のチャンネルから交互に聴取できるため、エフェクトに拡がりを持たせることができる。
【００２８】
ＬＦＯ５２が、ループ回路ＬＰ１〜ＬＰ４を循環する信号の１周期の４分の１で位相を変えているため、ループ回路ＬＰ１〜ＬＰ４同士の同期をとって楽音効果を付与することができる。
フィルタ処理部５１が、ループ回路ＬＰ１〜ＬＰ４を循環させる信号にＨＰＦ処理を行っているため、循環させる信号にノイズが発生することがなく、また低周波の信号が徐々に大きくなることを防止でき、安定したエフェクト音を出力することができる。
【００２９】
［５］実施の形態の変形
なお、本発明は、前述した実施の形態に限定されるものではなく、以下に示すような変形をも含むものである。
前述した実施の形態では、楽音効果付与装置５は、４つのループ回路ＬＰ１〜ＬＰ４を備えていたが、本発明はこれに限られない。楽音効果付与装置は、ループ回路を複数備えていればよく、４つを超えるループ回路を備えていてもよい。この場合、各ループ回路に与える位相差のシフト量は、ループ回路の数（整数）の整数分の１とすることにより、各ループ回路間の同期を取ることができる。
その他、本発明の実施の際の具体的な構造および形状等は、本発明の目的を達成できる範囲で他の構造等としてもよい。
【符号の説明】
【００３０】
１…楽曲データ再生制御システム、２…コンピュータ、３…ＵＳＢケーブル、４…ＤＪコントローラ、５…楽音効果付与装置、４１…ミキサー部、４１Ｅ…エフェクト部、４２Ｌ…デッキ部、４２Ｒ…デッキ部、４３…表示部、５１…フィルタ処理部、５２…ＬＦＯ、５３…遅延器、５３Ａ…フィードバック回路、５４…フェーダー、５５…加算器、５６…加算器、５７…加算器、５８…レベル調整部、５９…加算器、４１１…第１チャンネル調整部、４１２…第２チャンネル調整部、４１３…第３チャンネル調整部、４１４…第４チャンネル調整部、４１５…マイク調整部、４１６…エフェクト選択スイッチ、４１７…チャンネル選択スイッチ、４１８…エフェクト量調整スイッチ、４１９…エフェクト付与スイッチ、４２０…ビート変更スイッチ、４２１…ジョグダイヤル、４２２…テンポスライダー、４２３…パフォーマンスパッド、４２４…ＣＵＥボタン、４２５…プレイ/ポーズボタン、４２６…ループボタン、４２７…デッキセレクトボタン、４２８…ロードボタン、ＬＰ１…ループ回路、ＬＰ２…ループ回路、ＬＰ３…ループ回路、ＬＰ４…ループ回路、ＳＤ…楽曲データ。
【図１】
2019130593.tif 000003
【図２】
2019130593.tif 000004
【図３】
2019130593.tif 000005
【図４】
2019130593.tif 000006
【図５】
2019130593.tif 000007
【国際調査報告】
2019130593.tif 000008
2019130593.tif 000009
2019130593.tif 000010